(57)【特許請求の範囲】
【請求項１】
液体容器の開口部に装着する中栓を、液体容器の開口部に対して着脱自在とする筒状の栓本体と、該栓本体の上端開口部に装着する漏斗体とで構成し、栓本体には漏斗体の流出口に連通させて栓本体の後部側面に開口する流入通路を設けるとともに、
流入通路開口端の下方部分に、流入通路開口端から流入した液が流れ込む凹所を形成し、該凹所と流入通路開口端の間に液体容器の開口部内面との隙間を僅少とする、庇状のリブを突出させたことを特徴とする液体容器の中栓。
【請求項２】
栓本体には、一端が栓本体の下端に開放され、他端が栓本体の前方側面に開放される流出通路を形成し、該流出通路の断面積を流入通路の断面積よりも大きくしたことを特徴とする請求項１記載の液体容器の中栓。
【発明の詳細な説明】
【技術分野】
【０００１】
この発明は、コーヒー自動抽出機にセットして、抽出されたコーヒーを直接貯留する魔法びんなどの液体容器に用いる中栓に関するものである。
【背景技術】
【０００２】
コーヒー抽出機で抽出されたコーヒーを貯留しておく場合、抽出されたコーヒーが変質するのを防ぎ、なるべく入れたての風味を維持するため、自動抽出機で抽出されたコーヒーを、魔法びんに直接貯留する方法が知られている。その際、中栓を装着した状態でコーヒーを魔法びん内に注ぎ込むことができるように、中栓の上面に漏斗体を設け、漏斗体の流出口を中びん内に開口させておく思想が特許文献１に開示されている。
また、特許文献１には、栓本体に、漏斗体の流出口と連通させて栓本体の後部側面に開口する流入通路を設ける構造が開示されている。
【特許文献１】特開平１０−２９０７５５号公報
【発明の開示】
【発明が解決しようとする課題】
【０００３】
特許文献１に開示されている液体容器においては、液体容器 (魔法びん)に収容したコーヒーなどの内容液を注液するために、液体容器を前方に傾ける際、大きく傾け過ぎた場合や液体容器を勢い良く傾けた場合に、漏斗体の流出口からコーヒーなどの内容液が逆流し、漏斗体からこぼれるという不測の事態が生じる場合があることが判明した。
【０００４】
上記、従来技術の欠点に鑑み本発明は、液体容器内に収容した内容液を注ぐ場合に、漏斗体から逆流して内容液がこぼれることがない、液体容器の中栓を実現することを目的とするものである。また、別の目的は、注液の際に液体容器内に急激に空気が流入することによって、内容液が噴出するように溢れ出す逆流現象を防止することを目的といる中栓構造を実現することである。
【課題を解決するための手段】
【０００５】
上記目的を達成するため、請求項１記載の本発明は、液体容器１の開口部２に装着する中栓３を、液体容器１の開口部２に対して着脱自在とする筒状の栓本体４と、栓本体４の上端開口部に装着する漏斗体５とで構成する。栓本体４には、漏斗体５の流出口６に連通させて栓本体４の後部側面に開口する流入通路７を設けるとともに、流入通路開口端7aの下方部分に、流入通路開口端7aから流入した液が流れ込む凹所８を形成する。さらに、凹所８と流入通路開口端7aの間に液体容器１の開口部２内面との隙間を僅少とする、庇状のリブ９を突出させる。
【０００６】
請求項２記載の発明は、栓本体４に、一端が栓本体４の下端に開放され、他端が栓本体４の前方側面に開放される流出通路10を形成して、液体容器１を傾けることによって、開栓操作を行うことなく注液することができるようにする。その際、栓本体４に形成する流出通路10の断面積を流入通路７の断面積よりも大きく形成しておく。
【発明の効果】
【０００７】
請求項１記載の発明によれば、漏斗体によって集められたコーヒーなどの液が、漏斗体５の流出口６及び流入通路７を通って流入通路開口端7aから液体容器１の開口部２に流入する。液体容器１の開口部２に流入した液は、流入通路開口端7a直下にある庇状のリブ９を迂回して、凹所８を通って液体容器１内に貯留される。液体容器１内の液を注出するために、液体容器１全体を前方に傾け、内溶液の水面が、一時的に注入通路開口端7aを超えるような現象を生じた場合に、庇状のリブ９が存在することによって内容液が流入通路開口端7aに達するのを一時的に堰き止められ、流入通路７を通って内容液が逆流し、漏斗体５から器外にあふれるのを防止する。
【０００８】
請求項２記載の発明によれば、栓本体４自体に流出通路10を形成する中栓において、内容液を注ぎ出す場合に、流出通路10の断面積を流入通路７の断面積よりも大きくすることによって、流入通路10を通って注出された内容液の容積に見合った空気が流出口６から液体容器１内に流入する。この際、流入通路７から一気に大量の空気が液体容器内に流入し、その反動で内容液が流入通路に逆流する現象を回避することができる。
【発明を実施するための最良の形態】
【０００９】
以下、本発明に係る液体容器の中栓の実施形態を、添付の図面に基づいて説明する。
図１は、液体容器として魔法びんに本発明に係る中栓を装着した状態の一部断面の正面図、図２は、中栓のみの縦断面図である。図３は、図２のIII―III線断面図、図４は、中栓の背面図、図５は、図２のV―V線断面図である。
【００１０】
液体容器１に装着する、本発明に係る中栓３は、筒状、具体的には内部に上部と下部を区画する区画壁4aを備えた有底筒状の栓本体４と、栓本体４の上端開口部に装着する漏斗体５とで構成する。栓本体４は、液体容器１の開口部２に対してネジによって着脱自在としている。
【００１１】
栓本体４の区画壁4aには、一端が上方に向けて開口する上方開口端7bであり、径方向水平に延長され、他端が栓本体４の後部側面に開口する流入通路７を設け、上方開口端7bに漏斗体５の流出口６を嵌め込んで連通させている。これにより、漏斗体５で受け止められた液、具体的にはコーヒー抽出機によって抽出されたコーヒーは、流入通路７を通って後部側面に開口する流入通路開口端7aから、液体容器１の開口部２に流入するようにしている。
【００１２】
栓本体４の後部側面には、流入通路開口端7aの下方に、流入通路開口端7aから流入した液が流れ込む凹所８を形成するとともに、凹所８と流入通路開口端7aの間に液体容器１の開口部２内面との隙間を僅少とする、庇状のリブ９を突出させている。図示例の中栓では、栓本体４の下半部の形状を、液体容器１の開口部２の内径よりもある程度細径とし、下端に拡径部4bを形成している。栓本体４の拡径部4bでは、液体容器１開口部２の内径との隙間が僅少となるように形成している。
【００１３】
流入通路開口端7aの下方に、形成する凹所８は、前記細径部分に形成するとともに、凹所８は下端の拡径部4bを含めて下端に延長されている。したがって、凹所８部分のみが液体容器１開口部内面との間に、比較的大きな液体の流入空間が形成され、漏斗体５から流入したコーヒーなどの液体が、円滑に液体容器１内に流入するように形成されている。
【００１４】
すなわち、栓本体の細径部分においては、図３に示すように、栓本体４と容器本体の開口部２内面との間はある程度大きな隙間X1に形成されているが、拡径部4bにおいては、容器本体の開口部２内面との間が小さな隙間X2となり、内溶液の自由な流通を阻止される。そして、図５に示すように、栓本体４の側面に形成する凹所８は、細径部分の表面よりも凹んだ状態での深さＹとし、庇状のリブ９の直下から直線的に栓本体の下端に達している。
さらに、凹所８と流入通路開口端7aの間に形成する庇状のリブ９は、その外径が下端の拡径部とほぼ同一であって、液体容器１の開口部２内面との隙間を僅少とするとともに、凹所８の幅W1は、庇状のリブ９の幅W2よりも幅広としている。
【００１５】
上記、構成とすることによって、流入通路開口端7aから流出した液は、図４の(ａ)に示すように、庇状のリブ９の左右両側に分岐して凹所８に流れ込み、円滑に液体容器１内に流入する。一方、内容液を注ぎ出すために液体容器１を前方に傾けた場合、凹所８を通って内容液が逆流する場合がある。この場合、図４の(ｂ)に示すように凹所８を逆流した液は、リブ９によって左右に分岐され、流入通路開口端7aに達するのを防止されるため、逆流によって漏斗体５から内容液が流出するのを効果的に防止することができる。
【００１６】
栓本体４には、前記流入通路７とは別に流出通路10を設けている。流出通路10は、一端が栓本体４の下端に開放され、他端が栓本体の前方側面に開放し、この部分に液体容器１の注ぎ部11を形成している。したがって、図示実施形態の液体容器では、中栓を装着した状態で液体容器内に抽出したコーヒーなどの液を直接収容し、そのままの状態で液体容器１を前方に向けて傾け注液することができる。
【００１７】
液体容器１を傾けて内容液を注液する場合、流出通路10から注液される液の体積に相当する空気が流入通路７から器内に流入することになるが、本実施形態においては、栓本体４に形成する流出通路10の断面積を、流入通路７の断面積よりも大きくしてある。これにより、液の流出量と空気の流入量の均衡が保たれ、注液の際に一気に空気が流入し、その反動で内容液が噴出す現象を防止することができる。
【００１８】
栓本体４に装着する漏斗体５の流出口６にはパッキン12を装着し、栓本体４に形成した流入通路７の上方に向けた上方開口端7bに、シールされた状態に自由に挿入可能となるようにしている。これにより、お手入れの際には栓本体４と漏斗体５を分離させて洗浄することができる。
漏斗体５の上方開放端には、着脱自在の蓋13を装着しているが、蓋13を装着することによって、抽出したコーヒーの保管中などに埃が進入するのを防止するとともに、保温性を向上させる効果がある。その他、図面において14は、液体容器１の開口部２のシール状態を維持するために、栓本体に装着したパッキンである。
【図面の簡単な説明】
【００１９】
【図１】図１は、液体容器として魔法びんに本発明に係る中栓を装着した状態の一部断面の正面図、
【図２】図２は、中栓のみの縦断面図、
【図３】図３は、図２のIII―III線断面図、
【図４】図４は、中栓の背面図、
【図５】図５は、図２のV―V線断面図、
【図６】図６は、蓋を除いた中栓の斜視図である。
【符号の説明】
【００２０】
１…液体容器、  ２…開口部、  ３…中栓、  ４…栓本体、  4a…区画壁、  4b…拡径部、  ５…漏斗体、  ６…流出口、  ７…流入通路、  7a…流入通路開口端、  7b…上方開口端、  ８…凹所、  ９…リブ、  10…流出通路、  11…注ぎ口、  12…パッキン、  13…蓋、  14…パッキン。
【図１】
0004549312.tif 000002
【図２】
0004549312.tif 000003
【図３】
0004549312.tif 000004
【図４】
0004549312.tif 000005
【図５】
0004549312.tif 000006
【図６】
0004549312.tif 000007